(57)【要約】【課題】  荷物を保管する荷物受取ボックスに荷物が収容されたら、その情報を電源工事を行うこと無く受取人に通知できる荷物受取ボックス及び受取通知システムを提供する。【解決手段】  荷物受取ボックス１は、配達された荷物を保管する収容部Ｓを備えた本体１ａと収容部Ｓを閉塞する扉１ｂとを有し、扉１ｂには荷物が保管されたことを外部に通知すると共に開閉操作で発電する発電部を備えた通知モジュール２が設けられる一方、この通知モジュール２と通信するゲートウェイ３を宅内に配置し、ゲートウェイ３は通知モジュール２から荷物保管信号を受信したら、通信ネットワークＮを介して受取人の携帯端末５に荷物受取の情報を送信する。【選択図】  図１
2019037455.tif 000002
【特許請求の範囲】
【請求項１】
配達された荷物を保管するための収容部を備えた本体と前記収容部を閉塞する扉とを有する荷物受取ボックスであって、
前記扉の開操作／閉操作のうちの少なくとも一方の扉操作を検知する開閉検知手段と、
前記本体に荷物が保管されたことを外部に通知する保管通知手段と、
前記保管通知手段の電源を生成する発電手段とを具備し、
前記保管通知手段は、前記開閉検知手段が前記扉操作を検知したら、前記発電手段により発電された電力により外部に荷物保管信号を送信することを特徴とする荷物受取ボックス。
【請求項２】
前記発電手段及び前記開閉検知手段が、前記扉の開操作及び閉操作のうちの少なくとも一方の操作により発電する機構式発電手段により一体に構成され、
前記保管通知手段は、前記機構式発電手段が発電したら前記扉が開閉操作されたと判断して、前記機構式発電手段の発電電力を基に荷物保管信号を送信することを特徴とする請求項１記載の荷物受取ボックス。
【請求項３】
配達された荷物を保管するための収容部を備えた本体と前記収容部を閉塞する扉とを有する荷物受取ボックスであって、
前記本体に荷物が保管されたことを外部に通知する保管通知手段と、
前記収容部の底部に配置されて、収容された荷物の荷重により発電する発電手段とを具備し、
前記保管通知手段は、前記発電手段が発電したら荷物が保管されたと判断して、この発電電力により外部に荷物保管信号を送信することを特徴とする荷物受取ボックス。
【請求項４】
請求項１乃至３の何れかに記載の荷物受取ボックスと、
当該荷物受取ボックスの保管通知手段と通信すると共に、通信ネットワークを介して所定の携帯端末と通信が可能な外部通信手段と、
前記外部通信手段は、前記保管通知手段が送信した前記荷物保管信号を受信したら、荷物が保管されたことを前記携帯端末に通知することを特徴とする受取通知システム。
【請求項５】
前記保管通知手段と、前記外部通信手段とは無線により信号を送受することを特徴とする請求項４記載の受取通知システム。
【請求項６】
前記外部通信手段には、前記荷物受取ボックスを含む荷物受取ボックスの周囲を撮像する監視カメラが接続されると共に、
前記外部通信手段は、前記監視カメラから撮像映像或いは撮像画像を入手して前記携帯端末に送信するカメラ映像制御部を具備し、
前記カメラ映像制御部は、前記荷物受取ボックスから前記荷物保管信号を受信したら前記監視カメラから撮像映像或いは撮像画像を入手し、入手した映像或いは画像を前記荷物保管の通知に合わせて前記携帯端末に送信することを特徴とする請求項４又は５記載の受取通知システム。
【請求項７】
前記外部通信手段には、前記荷物受取ボックスを含む荷物受取ボックスの周囲を撮像する監視カメラが接続されると共に、
前記外部通信手段は、前記監視カメラから撮像映像或いは撮像画像を入手して前記携帯端末に送信するカメラ映像制御部と映像保存部とを有し、
前記カメラ映像制御部は、前記監視カメラを常時撮像させて一定時間前から現在までの撮像映像を前記映像保存部に保存し、前記荷物保管の通知に合わせて前記映像保存部に保存されている映像を前記携帯端末に送信することを特徴とする請求項４又は５記載の受取通知システム。
【発明の詳細な説明】
【技術分野】
【０００１】
本発明は、宅配業者等の運送業者が配達した荷物を無人で受け取るための荷物受取ボックス、及び荷物受取ボックスに荷物が保管されたらそれを受取人に通知する受取通知システムに関する。
【背景技術】
【０００２】
居住者が不在であっても宅配業者や運送業者が配達した荷物を受け取ることができる荷物受取ボックスが集合住宅を中心に普及している。このような荷物受取ボックスの中には、運送業者の手間を削減するために荷物が保管されたことを受取人の携帯端末にメール等で通知するシステムが提案されている。
例えば特許文献１では、着荷メール、取り出し確認のメール、再通知メール等を荷物の受取人に送信できるよう構成されている。
【先行技術文献】
【特許文献】
【０００３】
【特許文献１】特開２００７−２６８０２４号公報
【発明の概要】
【発明が解決しようとする課題】
【０００４】
しかしながら、上述したような着荷のメール通知を可能とした従来のシステムは、荷物受取ボックスに扉の開閉や着荷を検知するためのセンサが取り付けられ、それを駆動する電源が必要であったため、電源のない場所に荷物受取ボックスを設置する場合は電源工事が必要であった。
【０００５】
そこで、本発明はこのような問題点に鑑み、荷物を保管する荷物受取ボックスに荷物が収容されたら、その情報を電源工事を行うこと無く受取人に通知できる荷物受取ボックス及び受取通知システムを提供することを目的としている。
【課題を解決するための手段】
【０００６】
上記課題を解決する為に、請求項１の発明は、配達された荷物を保管するための収容部を備えた本体と収容部を閉塞する扉とを有する荷物受取ボックスであって、扉の開操作／閉操作のうちの少なくとも一方の扉操作を検知する開閉検知手段と、本体に荷物が保管されたことを外部に通知する保管通知手段と、保管通知手段の電源を生成する発電手段とを具備し、保管通知手段は、開閉検知手段が扉操作を検知したら、発電手段により発電された電力により外部に荷物保管信号を送信することを特徴とする。
この構成によれば、扉が開閉されるとそれが外部に通知されるため、例えば外出している受取人の携帯電話に通知すれば、受取人は外出先でそれを把握でき、利便性が良い。そして、発電手段を有して発電電力により外部に通知するため、荷物受取ボックスの設置に際して電源工事が必要ない。
【０００７】
請求項２の発明は、請求項１に記載の構成において、発電手段及び開閉検知手段が、扉の開操作及び閉操作のうちの少なくとも一方の操作により発電する機構式発電手段により一体に構成され、保管通知手段は、機構式発電手段が発電したら扉が開閉操作されたと判断して、機構式発電手段の発電電力を基に荷物保管信号を送信することを特徴とする。
この構成によれば、扉の開閉で発電し、その発電電力で荷物の保管を通知するため、開閉検知手段を別途設けること無く開閉操作を検知できるし、荷物が保管されたことを認識できる。
【０００８】
請求項３の発明は、配達された荷物を保管するための収容部を備えた本体と収容部を閉塞する扉とを有する荷物受取ボックスであって、本体に荷物が保管されたことを外部に通知する保管通知手段と、収容部の底部に配置されて、収容された荷物の荷重により発電する発電手段とを具備し、保管通知手段は、発電手段が発電したら荷物が保管されたと判断して、この発電電力により外部に荷物保管信号を送信することを特徴とする。
この構成によれば、収容部に収容された荷物の荷重で荷物の保管を認識して外部に通知するため、扉の開閉を監視することなく荷物の保管を検知して通知でき、利便性が良い。そして、発電手段を有して発電電力により外部に通知するため、荷物受取ボックスの設置に際して電源工事が必要ない。
【０００９】
請求項４の発明に係る受取通知システムは、請求項１乃至３の何れかに記載の荷物受取ボックスと、当該荷物受取ボックスの保管通知手段と通信する外部通信手段と、外部通信手段と通信ネットワークを介して通信が可能な携帯端末とを有し、外部通信手段は、保管通知手段が送信した荷物保管信号を受信したら、荷物が保管されたことを携帯端末に通知することを特徴とする。
この構成によれば、荷物受取ボックスの扉が開閉操作されると、或いは荷物受取ボックスに荷物が保管されると、その情報が携帯端末に通知されるため、携帯端末を所持する受取人等は、荷物受取ボックスに荷物が保管されたことを把握でき利便性が良い。
【００１０】
請求項５の発明は、請求項４に記載の構成において、保管通知手段と、外部通信手段とは無線により信号を送受することを特徴とする。
この構成によれば、保管通知手段と外部通信手段とは無線により通信するため、荷物受取ボックスには電源線に加えて通信線も配設する必要がない。
【００１１】
請求項６の発明は、請求項４又は５に記載の構成において、外部通信手段には、荷物受取ボックスを含む荷物受取ボックスの周囲を撮像する監視カメラが接続されると共に、
外部通信手段は、監視カメラから撮像映像或いは撮像画像を入手して携帯端末に送信するカメラ映像制御部を具備し、カメラ映像制御部は、荷物受取ボックスから荷物保管信号を受信したら監視カメラから撮像映像或いは撮像画像を入手し、入手した映像或いは画像を荷物保管の通知に合わせて携帯端末に送信することを特徴とする。
この構成によれば、受け取りの通知に合わせて、監視カメラの撮像映像又は画像も送信されるため、受取人は荷物が届けられたこと或いは不審者が荷物受取ボックスを操作したことを映像或いは画像で把握することが可能であり、セキュリティの向上に役立つ。
【００１２】
請求項７の発明は、請求項４又は５に記載の構成において、外部通信手段には、荷物受取ボックスを含む荷物受取ボックスの周囲を撮像する監視カメラが接続されると共に、外部通信手段は、監視カメラから撮像映像或いは撮像画像を入手して携帯端末に送信するカメラ映像制御部と映像保存部とを有し、カメラ映像制御部は、監視カメラを常時撮像させて一定時間前から現在までの撮像映像を映像保存部に保存し、荷物保管の通知に合わせて映像保存部に保存されている映像を携帯端末に送信することを特徴とする。
この構成によれば、受け取りの通知に合わせて、荷物受取ボックスの扉が開閉操作される直前の映像、或いは荷物受取ボックスに荷物が保管される直前の映像が送信されるため、受取人は荷物が届けられた状況を映像で認識でき、不審者が開けた場合も映像で把握でき、セキュリティの向上に役立つ。
【発明の効果】
【００１３】
本発明の荷物受取ボックスによれば、扉が開閉されると或いは荷物が保管されると、その操作で発電手段が発電して外部に荷物が保管されたことが通知されるため、荷物受取ボックスの設置に際して電源工事が必要ない。
また、本発明の受取通知システムによれば、荷物受取ボックスに荷物が保管された情報が携帯端末に通知されるため、携帯端末を所持する受取人等は荷物受取ボックスに荷物が保管されたことを把握でき利便性が良い。
【図面の簡単な説明】
【００１４】
【図１】本発明に係る荷物受取ボックスの一例を示す外観図であり、（ａ）は扉を開けた状態、（ｂ）は扉を閉めた状態を示している。
【図２】受取通知システムの一例を示す構成図である。
【図３】通知モジュールのブロック図である。
【図４】ゲートウェイのブロック図である。
【図５】通知モジュールの説明図であり、（ａ）は扉を開けた状態、（ｂ）は扉を閉めた状態である。
【図６】機構式発電手段の他の形態を示し、発電モータを使用した説明図であり、（ａ）は発電モータを正面から見た図、（ｂ）は側面から見た図である。
【図７】荷物受取ボックスの他の形態を示す斜視図である。
【図８】図７の荷物受取ボックスの発電原理を示す説明図である。
【図９】荷物受取ボックスの他の形態を示す斜視図である。
【発明を実施するための形態】
【００１５】
以下、本発明を具体化した実施の形態を、図面を参照して詳細に説明する。図１は本発明に係る荷物受取ボックスの一例を示す斜視図であり、（ａ）は扉を開けた状態、（ｂ）は扉を閉めた状態を示している。図１に示すように、荷物受取ボックス１は保管する荷物を収容する収容部Ｓを備えた本体１ａと、本体１ａの前面に配置されて収容部Ｓを閉塞する扉１ｂとを有している。
扉１ｂには開閉操作するハンドル１１と、荷物が保管されたことを外部に通知する通知モジュール２が設けられ、本体１ａの前面枠部１３には通知モジュール２を押圧する一対のピン１４が突設されている。
【００１６】
図２は図１の荷物受取ボックス１を使用した受取通知システムの一例を示す構成図であり、荷物受取ボックス１の通知モジュール２と通信するゲートウェイ３、ゲートウェイ３に接続された監視カメラ４、ゲートウェイ３と通信ネットワークＮを介して通信する携帯端末５とで構成されている。
ゲートウェイ３は、荷物受取ボックス１が玄関等に設置された住戸内に配置され、商用電源に接続されて動作する。監視カメラ４は荷物受取ボックス１に荷物を保管する配達者を撮像するよう荷物受取ボックス１を中心とするエリアを撮像するよう設置されている。
そして携帯端末５は、荷物受取ボックス１が設置された住戸の居住者である荷物受取人が携行するスマートフォン等であり、通信するためのアドレス等がゲートウェイ３に登録されている。
【００１７】
図３は通知モジュール２のブロック図を示し、発電部２１ａを備えた電源部２１、通知モジュール２を制御するＣＰＵを備えた通知モジュール制御部２２、ゲートウェイ３と無線通信するアンテナ２３ａを備えた無線通信部２３等を備えている。発電部２１ａは、機構式発電手段である圧電素子による発電機構を備え、ここでは扉の開操作／閉操作の双方で発電するよう構成されているが、開操作或いは閉操作の何れか一方のみで発電させても良い。
【００１８】
図５は発電部２１ａの発電原理を示す説明図であり、通知モジュール２に組み込まれている圧電素子Ｃは、通知モジュール２の背面に設けられた孔２５から押圧部が露出するよう配置され、通知モジュール内から後方（孔２５の方向）に図示しない付勢手段により付勢されており、孔２５から挿入されるピン１４により押圧されて前方に移動するよう構成されている。
その結果、扉１ｂを閉じた際に本体１ａに設けられたピン１４がこの孔２５に挿入されて圧電素子Ｃを押圧し、圧電素子Ｃが発電作用を生ずる。また、扉１ｂを開ける際には、圧電素子Ｃに対する圧力が開放されるため、その際にも発電作用が生ずる。
【００１９】
図４はゲートウェイ３のブロック図を示し、通知モジュール２と無線通信するアンテナ３１ａを備えた無線通信部３１、監視カメラ４を制御して撮像映像を入手すると共にゲートウェイ３を制御するＣＰＵを備えたゲートウェイ制御部３２、通信ネットワークＮを介して携帯端末５と通信する外部通信部３３、監視カメラの撮像映像を保存する映像保存部３４等を備えている。
監視カメラ４は、ゲートウェイ制御部３２の制御により常時撮像を実施し、映像保存部３４には一定時間前（例えば６０秒前）から現在までの撮像映像が常時書き換えられて保存されている。
【００２０】
上記の如く構成された荷物受取ボックス１に荷物が保管された際の動作は以下の様である。荷物受取ボックス１の扉１ｂは常時閉じた状態にあり、配達者が荷物を入れて保管する際に開けられる。そして、保管後は閉められる。
そのため、荷物保管操作の前後で上述したように発電部２１ａが発電し、発電電力が電源部の蓄電部（図示せず）に蓄積される。通知モジュール制御部２２は、この扉１ｂが閉じられる操作を発電の極性から認識し、閉じられた作用を受けて蓄電された電力により荷物保管信号を生成して送信する。荷物保管信号は無線通信部２３を介してゲートウェイ３に送信される。
【００２１】
ゲートウェイ３は常時通知モジュール２からの信号を待つ待受状態にあり、通知モジュール２から荷物保管信号を受信したら、携帯端末５に対して荷物が保管されたことを通知する。この通知はインターネットによりメール送信され、例えば「ただいま荷物を受け取りました」が送信される。
【００２２】
またゲートウェイ制御部３２は、荷物保管信号を受けて映像保存部３４に保存されている一定時間前から現在までの監視カメラ４の撮像映像をメールに添付して携帯端末５に送信する。
【００２３】
このように、扉１ｂが開閉されるとそれが外出している受取人の携帯電話等の携帯端末５に通知されるため、受取人は外出先で荷物が保管されたことを把握でき、利便性が良い。そして、発電部２１ａを有して扉１ｂの開閉で発電し、この発電電力により外部に通知するため、荷物受取ボックス１の設置に際して電源工事が必要ない。また、扉１ｂの開閉で発電するため、発電部２１ａを開閉検知手段と兼用させることができ、別途開閉検知手段を設けることなく荷物が保管されたことを認識でき利便性が良い。
更に、通知モジュールと外部通信手段とは無線により通信するため、荷物受取ボックスには通信線も配設する必要がない。
加えて、荷物保管の通知に合わせて、荷物受取ボックス１の扉１ｂが開閉操作される直前の映像、或いは荷物受取ボックスに荷物が保管される直前の映像が送信されるため、受取人は荷物が届けられた状況を映像で認識でき、不審者が開けた場合も映像で把握でき、セキュリティの向上に役立つ。
【００２４】
尚、映像保存部３４に保存されている映像はメールに添付せず、メールを送信した後、受取人による要求が携帯端末５から成されてから送信しても良い。
また、監視カメラ４は荷物が保管された時のみ動作させても良く、ゲートウェイ３が通知モジュール２から荷物保管信号を受信したら、監視カメラ４を起動して撮像映像或いは画像を入手し、携帯端末５に対して監視カメラ４の撮像映像或いは画像と共に荷物が保管されたことを通知しても良い。このように荷物保管信号を受けてから監視カメラ４を動作させても良く、受取人は荷物が届けられた或いは不審者が荷物受取ボックスを操作したことを映像或いは画像で把握することが可能であり、セキュリティの向上に役立つ。
【００２５】
以下、他の形態を説明する。図６は機構式圧電手段の他の形態を示し、発電モータを使用した構成を示している。図６において、６は発電モータ、６１は発電モータ６の回転軸６ａに取り付けられたローラ、６２はローラ６１を回転させるレールである。
レール６２は、扉１ｂの本体１ａとの蝶着部位を中心とする一定の曲率を設けて円弧状に形成され、一端が扉１ｂに取り付けられて他端を本体１ａの収容部Ｓに入り込むように配置している。
【００２６】
一方、発電モータ６の回転軸６ａがレール６２の長手方向に直交する向きに配置され、ローラ６１がレール６２に密着するよう配置されている。
このように発電部２１ａを構成することで、扉１ｂの開閉操作でレール６２が矢印Ａ１に示すように前後動し、この移動を受けてローラ６１が回転し、即ち回転軸６ａが回転して発電モータ６は発電する。尚、この構成の場合、通知モジュール２は扉１ｂではなく本体１ａに設けられる（図示せず）。
このように、圧電素子に依らず、発電モータを使用しても良い。
【００２７】
図７は、荷物受取ボックス１の他の形態を示し、扉１ｂの開閉でなく収容された荷物の重量で発電する形態を示している。図７では、収容部Ｓの底部に底部全体を覆う台７を配置し、この台７の下に圧電素子Ｃを配置している。
図８はこの原理説明図であり、台７の下面に下方に突出する突起７ａを設け、圧電素子Ｃを備えた発電部２１ａをその下に配置している。突起７ａが上記図１のピン１４に対応している。台７は上下に移動可能に配置され、収容部Ｓに収容された荷物の荷重で下降し、圧電素子Ｃを加圧する。
こうして、収容された荷物で発電し、この発電電力で荷物保管信号がゲートウェイ３に送信される。
【００２８】
このように、収容部Ｓに収容された荷物の荷重で荷物の保管を認識して外部に通知しても良く、扉１ｂの開閉を監視することなく荷物の保管を検知して通知でき、利便性が良い。そして、発電電力により外部に通知するため、荷物受取ボックス１の設置に際して電源工事が必要ない。
【００２９】
図９は発電部２１ａの他の形態を示している。９は太陽電池パネルであり、本体１ａの天面に設けられている。荷物受取ボックス１の設置場所が日光の当たる場所である場合、このように、太陽電池パネル９を取り付けて、電力を生成して蓄えておき、荷物が保管されたら、この発電電力により荷物保管信号を生成して送信しても良い。但しこの構成の場合、荷物が保管されたことを検知するセンサ、例えば扉の開閉を検知するセンサを取り付ける必要がある。このように、太陽光発電を利用しても良く、電源工事を必要としない。
【符号の説明】
【００３０】
１・・荷物受取ボックス、１ａ・・本体、１ｂ・・扉、２・・通知モジュール（保管通知手段）、３・・ゲートウェイ（外部通信手段）、４・・監視カメラ、５・・携帯端末、６・・発電モータ、９・・太陽電池パネル、２１・・電源部（開閉検知手段）、２１ａ・・発電部（発電手段）、２２・・通知モジュール制御部、２３・・無線通信部、３１・・無線通信部、３２・・ゲートウェイ制御部（カメラ映像制御部）、３４・・映像保存部、Ｎ・・通信ネットワーク、Ｓ・・収容部、Ｃ・・圧電素子（機構式発電手段）。
【図１】
2019037455.tif 000003
【図２】
2019037455.tif 000004
【図３】
2019037455.tif 000005
【図４】
2019037455.tif 000006
【図５】
2019037455.tif 000007
【図６】
2019037455.tif 000008
【図７】
2019037455.tif 000009
【図８】
2019037455.tif 000010
【図９】
2019037455.tif 000011